(57)【要約】【課題】画像観察者が画面調整をすることなく、画面に常にフルサイズの画像を表示できる画像表示装置、リアプロジェクタ、画像処理方法、プログラムを提供すること。【解決手段】画像の一部に画像欠落領域ａを有する画像を表示する画像表示装置１００において、画像欠落領域ａを検出する画像欠落領域検出部１０１と、画像欠落領域検出部１０１の検出結果に基づいて表示する画像のスケーリングパラメータを決定するスケーリングパラメータ決定部１０４と、スケーリングパラメータに基づいて画像を表示する画像表示部１０６とを有する。【選択図】      図１
2004200913.tif 000002
【特許請求の範囲】
【請求項１】
画像の一部に画像欠落領域を有する画像を表示する画像表示装置において、
前記画像欠落領域を検出する画像欠落領域検出部と、
前記画像欠落領域検出部の検出結果に基づいて表示する画像のスケーリングパラメータを決定するスケーリングパラメータ決定部と、
前記スケーリングパラメータに基づいて画像を表示する画像表示部と、
を有することを特徴とする画像表示装置。
【請求項２】
前記画像欠落領域検出部は、前記画像の水平ラインの少なくとも１ヶ所の輝度を記憶するラインメモリを有することを特徴とする請求項１に記載の画像表示装置。
【請求項３】
前記画像欠落領域検出部は、前記画像の少なくとも１フレーム内の輝度を記憶するフレームメモリを有し、
前記スケーリングパラメータ決定部は、前記フレームメモリに記憶された少なくとも１フレーム内の輝度の分布を算出する輝度分布算出部を有し、
前記スケーリングパラメータ決定部は、前記輝度分布算出部の結果に基づいて前記スケーリングパラメータを決定することを特徴とする請求項１に記載の画像表示装置。
【請求項４】
照明光を供給する光源部と、
前記光源部からの光を画像信号に応じて変調して射出する電気光学装置と、
前記電気光学装置で変調された画像を表示する請求項１乃至３のいずれか一項に記載の画像表示装置と、
前記画像を投写する投写レンズとを有することを特徴とするプロジェクタ。
【請求項５】
画像の一部に画像欠落領域を有する画像を表示する画像表示方法において、
前記画像欠落領域を検出する画像欠落領域検出工程と、
前記画像欠落領域検出工程の検出結果に基づいて表示する画像のスケーリングパラメータを決定するスケーリングパラメータ決定工程と、
前記スケーリングパラメータに基づいて画像を表示する画像表示工程とを含むことを特徴とする画像表示方法。
【請求項６】
前記画像表示工程は、少なくとも第１の画像信号と、前記第１の画像信号と異なる垂直同期信号を有する第２の画像信号と、前記第１の画像信号と同じ垂直同期信号を有する第３の画像信号との順で画像を表示する工程を含み、
前記第１の画像信号を表示するときのスケーリングパラメータを一定期間保持するスケーリングパラメータ保持工程をさらに含むことを特徴とする請求項５に記載の画像表示方法。
【請求項７】
前記画像表示工程は、少なくとも第１の画像信号と、前記第１の画像信号と同じ垂直同期信号を有する第２の画像信号と、前記第１の画像信号と同じ垂直同期信号を有する第３の画像信号との順で画像を表示する工程を含み、
画像欠落領域検出工程により前記画像は前記第２の画像信号であると判定されたときに、前記第２の画像信号を表示するときのスケーリングパラメータを固定するスケーリングパラメータ固定工程をさらに含むことを特徴とする請求項５に記載の画像表示方法。
【請求項８】
前記スケーリングパラメータ固定工程の後に、所定間隔で前記画像欠落領域検出工程を行うことを特徴とする請求項７に記載の画像表示方法。
【請求項９】
画像の一部に画像欠落領域を有する画像を表示する画像表示装置用のプログラムであって、
前記画像欠落領域を検出する画像欠落領域検出手段と、
前記画像欠落領域検出手段の検出結果に基づいて表示する画像のスケーリングパラメータを決定するスケーリングパラメータ決定手段と、
前記スケーリングパラメータに基づいて画像を表示する画像表示手段としてコンピュータを機能させることを特徴とするプログラム。
【発明の詳細な説明】
【０００１】
【発明の属する技術分野】
本発明は、画像表示装置、プロジェクタ、画像表示方法、及びプログラム、詳細には常にフルサイズの画像を表示できる画像表示装置等に関する。
【０００２】
【従来の技術】
近年、デジタル放送の普及に伴い、ハイビジョン・デジタルＴＶ（Ｈｉｇｈ  Ｄｅｆｉｎｉｔｉｏｎ・Ｄｉｇｉｔａｌ  ＴＶ、以下「ＨＤＴＶ」という）規格の映像信号を表示できる画像表示装置が提案されている。ＨＤＴＶ規格は、旧ハイビジョン規格（以下、「１０３５ｉ」という）とデジタルＴＶ規格（以下、「１０８０ｉ」という）との２つの規格（フォーマット）が存在する。現在放送されているコンテンツも、作成した際の機材によって、１０３５ｉ信号と１０８０ｉ信号とが混在している。
【０００３】
図７（ａ）、（ｂ）は、それぞれ１０３５ｉ信号と１０８０ｉ信号を表示した画面の状態を説明する図である。図７（ａ）は、１０８０ｉ信号を表示したときの画面の状態を示す図であり、１０８０ｉ信号はフルサイズで表示される。図７（ｂ）は、１０３５ｉ信号を表示したときの画面の状態を示す図である。画面上下に、１０８０ｉ信号に対して映像信号が不足している領域を有している。
【０００４】
【発明が解決しようとする課題】
しかしながら、現行のデジタル放送では、放送局から送信されてくる電波は、全て１０８０ｉ信号として送られてくる。このため、１０３５ｉ信号と１０８０ｉ信号を比較して信号が不足している映像領域には、例えば黒データを割当てて映像表示エリアの共通化を図ってから配信している。
【０００５】
１０８０ｉ信号の垂直同期信号と１０３５ｉ信号の垂直同期信号とは同一のタイミングである。このため、同期信号だけから１０８０ｉ信号と１０３５ｉ信号とのいずれの信号であるかの判別を行うことができない。なお、以下、異なる信号間の判別を「モード判別」という。
【０００６】
この結果、１０３５ｉ信号の上下部分の黒帯部分は映像領域として認識されてしまう。従って、図７（ｂ）に示すように、ＨＤＴＶで１０３５ｉ信号が入力されたとき、画面の上下部分に黒帯が画像として表示されてしまうという問題がある。
本発明は、上記課題に鑑みてなされたものであり、画像観察者が画面調整をすることなく、画面に常にフルサイズの画像を表示できる画像表示装置、プロジェクタ、画像処理方法、プログラムを提供することを目的とする。
【０００７】
【課題を解決するための手段】
上記課題を解決し、目的を達成するために、本発明は、画像の一部に画像欠落領域を有する画像を表示する画像表示装置において、前記画像欠落領域を検出する画像欠落領域検出部と、前記画像欠落領域検出部の検出結果に基づいて表示する画像のスケーリングパラメータを決定するスケーリングパラメータ決定部と、前記スケーリングパラメータに基づいて画像を表示する画像表示部とを有することを特徴とする画像表示装置を提供する。これにより、画像観察者が画面調整をすることなく、画面に常にフルサイズの画像を表示できる。
【０００８】
また、本発明の好ましい態様によれば、前記画像欠落領域検出部は、前記画像の水平ラインの少なくとも１ヶ所の輝度を記憶するラインメモリを有することが望ましい。これにより、少ないメモリ容量で迅速に画像欠落領域を検出できる。また、本発明の好ましい態様によれば、前記画像欠落領域検出部は、前記画像の少なくとも１フレーム内の輝度を記憶するフレームメモリを有し、前記スケーリングパラメータ決定部は、前記フレームメモリに記憶された少なくとも１フレーム内の輝度の分布を算出する輝度分布算出部を有し、前記スケーリングパラメータ決定部は、前記輝度分布算出部の結果に基づいて前記スケーリングパラメータを決定することが望ましい。これにより、さらに正確に画像欠落領域を検出できる。
【０００９】
また、本発明は、照明光を供給する光源部と、前記光源部からの光を画像信号に応じて変調して射出する電気光学装置と、前記電気光学装置で変調された画像を表示する上述の画像表示装置と、前記画像を投写する投写レンズとを有することを特徴とするプロジェクタを提供する。これにより、画像表示部に形成されている枠部に対して、常にフルサイズで画像を投写できる。
【００１０】
また、本発明は、画像の一部に画像欠落領域を有する画像を表示する画像表示方法において、前記画像欠落領域を検出する画像欠落領域検出工程と、前記画像欠落領域検出工程の検出結果に基づいて表示する画像のスケーリングパラメータを決定するスケーリングパラメータ決定工程と、前記スケーリングパラメータに基づいて画像を表示する画像表示工程とを含むことを特徴とする画像表示方法を提供する。これにより、画像観察者が画面調整をすることなく、画面に常にフルサイズの画像を表示できる。
【００１１】
また、本発明の好ましい態様によれば、前記画像表示工程は、少なくとも第１の画像信号と、前記第１の画像信号と異なる垂直同期信号を有する第２の画像信号と、前記第１の画像信号と同じ垂直同期信号を有する第３の画像信号との順で画像を表示する工程を含み、前記第１の画像信号を表示するときのスケーリングパラメータを一定期間保持するスケーリングパラメータ保持工程をさらに含むことが望ましい。これにより、番組の途中に例えばコマーシャル等が挿入された場合でも、頻繁なスケーリングパラメータの検出、変更を防止し、効率的に画像表示できる。
【００１２】
また、本発明の好ましい態様によれば、前記画像表示工程は、少なくとも第１の画像信号と、前記第１の画像信号と同じ垂直同期信号を有する第２の画像信号と、前記第１の画像信号と同じ垂直同期信号を有する第３の画像信号との順で画像を表示する工程を含み、画像欠落領域検出工程により前記画像は前記第２の画像信号であると判定されたときに、前記第２の画像信号を表示するときのスケーリングパラメータを固定するスケーリングパラメータ固定工程をさらに含むことが望ましい。これにより、１０８０ｉ信号や１０３５ｉ信号のＨＤＴＶ番組が繰り返されたときに、不要な画像欠落領域の検出を防止できる。
【００１３】
また、本発明の好ましい態様によれば、前記スケーリングパラメータ固定工程の後に、所定間隔で前記画像欠落領域検出工程を行うことが望ましい。これにより、表示されている画像に応じた適切なスケーリングパラメータを適宜設定できる。
また、本発明の好ましい態様によれば、画像の一部に画像欠落領域を有する画像を表示する画像表示装置用のプログラムであって、前記画像欠落領域を検出する画像欠落領域検出手段と、前記画像欠落領域検出手段の検出結果に基づいて表示する画像のスケーリングパラメータを決定するスケーリングパラメータ決定手段と、前記スケーリングパラメータに基づいて画像を表示する画像表示手段としてコンピュータを機能させることを特徴とするプログラムを提供できる。これにより、コンピュータを用いて上述の画像表示を容易に行うことができる。
【００１４】
【発明の実施の形態】
以下、本発明の実施形態を、添付図面を参照して説明する。なお、この実施形態によってこの発明が限定されるものではない。
（第１実施形態）
図１は、本発明の第１実施形態にかかる画像表示装置１００のブロック図である。不図示の画像信号入力部からの画像信号は画像欠落領域検出部１０１に入力される。図２は、入力される１０８０ｉ信号と１０３５ｉ信号との関係を示す図である。１０８０ｉ信号の垂直同期信号Ｖｓｙｎｃ１と１０３５ｉ信号の垂直同期信号Ｖｓｙｎｃ２とは同一のタイミングである。このため、他規格の信号フォーマット（例えば、ＮＴＳＣ信号やＸＧＡ信号）を判別するように同期信号のみ検出していたのでは１０８０ｉ信号と１０３５ｉ信号とのモード判別を行うことができない。
【００１５】
そして、１０８０ｉ信号の画像領域と１０３５ｉ信号の画像領域とはその大きさが異なる。このため、１０３５ｉ信号の画像欠落領域ａには例えば黒データが付加されている。画像欠落領域ａは、画面上の上下部分に黒帯画像として表示されてしまう。
【００１６】
本実施形態では、画像欠落領域検出部１０１はラインメモリ１０２を有している。ラインメモリ１０２は、入力された画像信号のうち前記画像欠落領域ａにあたる所定の上下部分の領域内にある水平ラインの輝度を記憶する。そして、画像欠落領域検出部１０１は、少なくとも一ヶ所の輝度を測定する。なお、輝度検出方法については後述する。
【００１７】
ある水平ラインにおいて検出された画素輝度データが全てゼロの場合は、入力された画像信号が画像欠落領域ａを有すると判定する。即ち、画像欠落領域検出部１０１は、画像欠落領域ａが存在する場合、画像信号は１０３５ｉ信号であると判定する。
【００１８】
これに対して、画素輝度データがゼロでない部分がある条件下で存在したと判定した場合、この水平ラインには画像信号が存在すると判定する。即ち、画像欠落領域検出部１０１は、画像欠落領域ａが存在しない場合、画像信号は１０８０ｉ信号であると判定する。そして、検出結果は、ＲＡＭ１０３に記憶される。水平ラインの輝度検出は、１ラインに限られず複数の水平ラインについて行うことが好ましい。複数の水平ラインについて輝度検出を行った場合、その結果も同様にＲＡＭ１０３に記憶される。
【００１９】
スケーリングパラメータ決定部の機能を有するＣＰＵ１０４は、前記画像欠落領域検出部１０１の結果に基づいてスケーリングパラメータを決定する。スケーリングパラメータとは、１０８０ｉ信号や１０３５ｉ信号、他規格の映像信号を画像表示部においてフルサイズで表示するための縮小率又は拡大率（等倍を含む）を設定するためのパラメータであり、画像表示部に固有の値を有する。
【００２０】
例えば、画像信号が１０８０ｉ信号であると判定された場合、ＣＰＵ１０４は１０８０ｉ信号用のスケーリングパラメータを設定する。また、画像信号が１０３５ｉ信号であると判定された場合、ＣＰＵ１０４は１０３５ｉ信号用のスケーリングパラメータを設定する。
ＣＰＵ１０４は、決定されたスケーリングパラメータをスケーリング処理部１０５へ送る。スケーリング処理部１０５は、スケーリングパラメータに基づいて画像をスケーリングする。そして、画像表示部１０６は、スケーリングされた画像をフルサイズ表示する。
【００２１】
（第２実施形態）
図３は、本発明の第２実施形態にかかる画像表示装置２００を示すブロック図である。本実施形態では、少なくとも１フレームの輝度を検出する点が上記第１実施形態と異なる。その他の構成は上記第１実施形態と同様であるので、同一部分には同じ符号を付し、重複する説明は省略する。
【００２２】
各フレームの上下部分の特定水平ラインのみの輝度検出を行う場合、入力された画像自体が暗い画像の場合や上下部分に暗い画像を有するときに、画像欠落領域ａがあると誤判定する恐れがある。本実施形態はこのような誤判定を防止するために、画像欠落領域検出部２０１は、水平ラインのみならず１フレーム全体の輝度検出を行う。輝度検出の方法としては、以下の（１）〜（４）の方法を用いることができる。
【００２３】
（１）ヒストグラム検出法：
検出された１フレーム分の輝度のヒストグラム（輝度分布のグラフ表示）に基づいて画像欠落領域ａを検出する方法である。ヒストグラム検出法ではデジタル的な検出が可能となる。図４は、ヒストグラムの一例である。図４の横軸は輝度レベル（入力階調）、縦軸は各輝度レベルの発生度数を示している。例えば、入力された画像が夜間の情景の場合、画像全体で暗い輝度レベルが多く検出される。この場合、輝度レベルが低い部分の度数が多い。本事例のように全体輝度が低い暗い画像の場合には、検出画素またはラインの数（ポイント）を増加させ、前記画像欠落領域ａにおける検出精度を高める事ができる。
【００２４】
（２）ピークホールド回路による検出法：
画像欠落領域検出部２０１が所定の検出期間において検出された輝度のうち最大輝度を保持する方法である。この方法はアナログ的な方法であり、瞬間的なノイズに対して強いという利点を有する。
【００２５】
（３）コンパレータ回路による検出法：
固定基準値を基にアナログ的に輝度を検出する方法であり、分解能とのトレードオフで安価な検出回路を構成できる事が特徴である。
（４）ハイパスフィルタ回路による検出法：
１フレーム内の画像欠落領域ａと画像信号が存在する領域との境界部分のエッジ成分を検出し、エッジの有無により画像欠落領域ａの有無を判別する方法である。１０３５ｉ信号の場合、画像欠落領域ａと画像信号との境界に完全なエッジを生ずる。これに対して、１０８０ｉ信号では画像の途中部分であるため、エッジ成分を生じにくい。これにより、ハイパスフィルタによりエッジ成分を抽出することにより、１０３５ｉ信号か１０８０ｉ信号かの判定を行う方法である。
なお、上記（２）、（３）、（４）の輝度検出方法は、上記第１実施形態でも適用できる。
【００２６】
本実施形態は、上記ヒストグラム法を用いている。また、検出期間可変部２０３は、ＣＰＵ１０４がスケーリングパラメータを決定するためにＲＡＭ１０３に記憶する期間を可変とする。
検出期間可変部２０３は画像全体が暗い映像の場合、ＲＡＭ１０３に記憶してＣＰＵ１０４がチェックする検出期間を長い期間に設定する。これに対して、検出期間可変部２０３は画像全体が明るい映像の場合、ＲＡＭ１０３に記憶してＣＰＵ１０４がチェックする検出期間を短い期間に設定する。
【００２７】
これにより、画像自体が本来暗い部分を有しているのか、又は画像欠落領域ａを有しているのかの判定をより正確に行うことができる。また、フレームメモリ２０２に記憶するデータ量を減らすために、１フレーム内の全てのラインではなく、ランダムラインの輝度をヒストグラム法で検出しても良い。
【００２８】
また、画像欠落領域ａであるか否かの判断基準とする値は、入力信号の種類（入力ソースやコンテンツのジャンル）に応じて変更することが好ましい。例えば、映画、特に白黒映画では全黒に近い輝度レベルを判断基準値に設定する。さらに、通常のテレビ番組では少し明るめの輝度を判断基準値に設定する。これは、黒い輝度レベル側は、ノイズ成分が多分に含まれる可能性があるため、誤判定を防止するためである。
【００２９】
なお、ＲＡＭ１０３は、複数のフレームについての水平ラインの輝度検出結果を記憶することが好ましい。画像欠落領域検出部２０１は、この複数のフレームの水平ラインについて輝度検出を行う。ＣＰＵ１０４は、輝度検出結果の値が安定している場合に、スケーリング処理部１０５に対してスケーリングパラメータの変更を指示する。これにより、ノイズ等の突発的な輝度検出を除去できる。
【００３０】
（第３実施形態）
図５は、本発明の第３実施形態にかかる画像表示法のフローを示す図である。本実施形態は、時系列的に、ＨＤＴＶ信号（第１の画像信号）、ＮＴＳＣ方式によるＴＶ（以下、「ＳＤＴＶ」という。）信号（第１の画像信号と異なる垂直同期信号を有する第２の画像信号）、そして、ＨＤＴＶ信号（第１の画像信号と同じ垂直同期信号を有する第３の画像信号）と入力信号が切り替わる場合について、入力信号が変わるごとにモード判別することを防止し、効率的に画像表示を行うことができる画像表示方法に関する。
このように入力信号が切り替わる具体例は、例えば、１０３５ｉ信号のＨＤＴＶ番組の途中にＳＤＴＶ信号によるコマーシャル番組が挿入され、さらにこのコマーシャルの後に、再び１０３５ｉ信号のＨＤＴＶ番組が放送される場合である。
【００３１】
この場合、ＨＤＴＶ信号（１０３５ｉ）の同期信号のフレームレートとＳＤＴＶ信号の同期信号のフレームレートとは異なる。このため、ＳＤＴＶ（上の例ではコマーシャル）へ切り替わったときに、同期信号を検出することでモード判別が確実に行われる。そして、本実施形態は、ＳＤＴＶから再びＨＤＴＶへ切り替わったときに、上記各実施形態で述べたような画像欠落領域検出を行わないことを特徴とする。
【００３２】
図５に基づいて、本実施形態のフローを説明する。図５では、ＨＤＴＶ信号からＳＤＴＶ信号へ変化し、その後さらにＨＤＴＶ信号へ変化する場合の処理手順を説明する。ステップＳ１からステップＳ７までがＨＤＴＶ信号からＳＤＴＶ信号へ変化する際の処理である。ステップＳ８からステップＳ１４までがＳＤＴＶ信号からＨＤＴＶ信号へ変化する際の処理である。
【００３３】
ステップＳ１において、ＣＰＵ１０４（図２）は入力信号がＨＤＴＶ信号からＳＤＴＶ信号へと変化したか否かを判定する。ステップＳ１の判定結果が真の場合、ステップＳ２において、ＳＤＴＶ信号が、初めのＨＤＴＶ信号と同一ＴＶチャンネルからの信号か否かを判定する。ステップＳ１の判定結果が偽の場合、フローは終了する。ＳＤＴＶ信号がＨＤＴＶ信号と同一ＴＶチャンネルと判定された場合は、ステップＳ３において、ＨＤＴＶ番組からＳＤＴＶ信号のコマーシャルへ変化したものとする。次に、ステップＳ４において、１０３５ｉＨＤＴＶ信号時のスケーリングパラメータを次にスケーリングパラメータが変化する時までＲＡＭ１０３に保持する。そして、ステップＳ５において、スケーリングパラメータを画像へ反映させる。
また、ステップＳ２の判定結果が偽の場合、ステップＳ６において、新しい画像のフォーマットを判別する。次に、ステップＳ７において、ＣＰＵ１０４は新規なスケーリングパラメータを算出する。そして、ステップＳ５において、新規なスケーリングパラメータを画像へ反映させる。上述したように、ステップＳ１からステップＳ７までが、ＨＳＴＶ信号からＳＤＴＶ信号へ変化した際の手順である。
【００３４】
次に、ＳＤＴＶ信号から、再度ＨＤＴＶ信号へ変化する場合の手順を、ステップＳ８からステップＳ１４に基づいて説明する。ステップＳ８において、ＳＤＴＶ信号からＨＤＴＶ信号へ変化したか否かを判定する。ステップＳ８の判定結果が真の場合、ステップＳ９において、ＨＤＴＶ信号が、ＳＤＴＶ信号と同一ＴＶチャンネルからの信号か否かを判定する。ステップＳ９の判定結果が偽の場合、ステップＳ８へ戻り、上述の判定を再度行う。ＨＤＴＶ信号がＳＤＴＶ信号と同一ＴＶチャンネルと判定された場合は、ステップＳ１０において、ＳＤＴＶ信号のコマーシャルからＨＤＴＶ番組へ変化したものとする。次に、ステップＳ１１において、ステップＳ４でＲＡＭ１０３に保持されたスケーリングパラメータを読み出す。そして、ステップＳ１２において、スケーリングパラメータを画像へ反映させる。
また、ステップＳ９の判定結果が偽の場合、ステップＳ１３において、新しい画像のフォーマットを判別する。次に、ステップＳ１４において、ＣＰＵ１０４は新規なスケーリングパラメータを算出する。そして、ステップＳ１２において、新規なスケーリングパラメータを画像へ反映させる。
【００３５】
本実施形態では、ＳＤＴＶ信号（コマーシャル）より以前のＨＤＴＶ信号（１０３５ｉ）時のスケーリングパラメータを維持する。これにより、入力信号が変わるごとにモード判別することを防止している。この結果、効率的に画像表示できるとともに、頻繁なモード判別に起因する誤判別により表示画面のサイズが不必要に拡大、縮小することを避けることができる。
【００３６】
さらに好ましくは、ＣＰＵ１０４は、スケーリングパラメータを維持した後に、一定周期で画像欠落領域検出を行い、入力信号の種類（フォーマット）が変わっていないかの判定を行うことが望ましい。そして、例えば、１０８０ｉ信号が入力されているのが検出された場合、スケーリングパラメータを変更する。なお、ＳＤＴＶ信号の後にＨＤＴＶ信号が入力された初めの画面においては、画像欠落領域検出を行っても良いことはいうまでもない。
【００３７】
また、ユーザの意思で画像表示のサイズを強制的に変更できるように構成することもできる。この場合、画像表示装置１００にリサイズ・ボタンを設けておく。そして、画面を観察しているユーザが、画面表示サイズを変更したいときに、このリサイズ・ボタンを押すことで任意に表示サイズの変更ができる。
【００３８】
（第４実施形態）
第４実施形態にかかる画像表示方法は、例えば、入力信号が、時系列的にＨＤＴＶ信号（第１の画像信号）、ＨＤＴＶ信号（第１の画像信号と同じ同期信号を有する第２の画像信号）、そしてＨＤＴＶ信号（第１の画像信号と同じ同期信号を有する第３の画像信号）の順に切り替わる場合についての画像表示方法である。
【００３９】
このような場合の具体例としては、現在の最新スタジオ映像などのＨＤＴＶ信号（１０８０ｉ信号）から過去のソフトウエアのＨＤＴＶ信号（１０３５ｉ信号）、そして最新スタジオ映像のＨＤＴＶ信号（１０８０ｉ信号）の順に表示画像が変化する場合である。
【００４０】
上述の順番で入力信号が切り替わる場合、同期信号がすべて同じである。このため、同期信号かを基にモード判別を行うことができない。そこで、本実施形態では、上記第１又は第２実施形態で述べたような画像欠落領域検出を定期的に行う。そして、一旦１０３５ｉ信号が検出された後は、１０３５ｉ信号用のスケーリングパラメータを固定する。また、スケーリングパラメータを固定している期間や、画像欠落領域ａを検出する定期的な期間は任意に設定できることが望ましい。これにより、再び１０８０ｉ信号であると判定された場合には、ＣＰＵ１０４は１０８０ｉ信号用のスケーリングパラメータを設定する。
画像欠落領域検出を定期的に行う期間の例としては、１秒毎に定期的にセンシングする方法、シーンチェンジの有無を検出する方法（Ａｖｅｒａｇｅ  Ｐｉｃｔｕｒｅ  Ｌｅｖｅｌが所定の条件以上で変化した場合、ヒストグラムからどこかの頻度が急激に変化した場合）等が挙げられる。
【００４１】
（第５実施形態）
図６は、本発明の第５実施形態にかかるリアプロジェクタの内部構成の概略を示す図である。本実施形態にかかるリアプロジェクタ３０１は、上記第２実施形態にかかる画像表示装置２００を備えている。図６では、説明を容易にするために、主要な構成要素のみを示す。
【００４２】
投写光生成部３０２からの光は、投写光学系３０３を経由して射出する。反射ミラー３０４は、投写光学系３０３が射出した投写光の光軸ＡＸを折り曲げて反射する。透過型のスクリーン部３０５は、反射ミラー３０４で反射された投写光による投写画像を表示する。
【００４３】
投写光生成部３０２は、図示しない光源装置、画像形成光学系等を有する。また、投写される画像のスケーリングを行う画像表示装置２００が投写光生成部３０２に接続している。投写光生成部３０２からの光は、投写光学系３０３を経由して広がりながら反射ミラー３０４へ入射する。次に、反射ミラー３０４は、スクリーン部３０５側へ投写光を反射する。反射された投写光は、光軸ＡＸがスクリーン面に対して略垂直となるようにスクリーン部３０５に入射する。スクリーン部３０５は、投写光を透過させて、画像として表示する。
【００４４】
リアプロジェクタは、スクリーン部３０５の周辺に不図示の枠部が形成されている。このため、例えば、１０３５ｉ信号の上下部分の黒表示がそのまま投写されてしまうと、枠部との差、特に色の差が顕著となりユーザに不快感を生じさせてしまう。しかし、本実施形態では、上述の画像表示装置２００を備えているため、入力信号の種類に関わらず、常に枠部に対してフルサイズで画像表示できる。
また、リアプロジェクタを用いて説明したが、フロントプロジェクタにも適用できることはいうまでもない。
また、本発明は、液晶プロジェクタ、ＣＲＴ、ＬＣＤ、有機ＥＬ、プラズマディスプレイ、ＬＥＤディスプレイ等をはじめあらゆる方式の画像表示装置にも適用可能である。
【図面の簡単な説明】
【図１】第１実施形態の画像表示装置のブロック図。
【図２】１０８０ｉ信号と１０３５ｉ信号との関係を示す図。
【図３】第２実施形態の画像表示装置のブロック図。
【図４】輝度レベルのヒストグラムの一例を示す図。
【図５】第３実施形態の画像表示方法のフローを示す図。
【図６】第５実施形態のリアプロジェクタの構成を示す図。
【図７】（ａ）、（ｂ）は、それぞれ１０３５ｉ信号と１０８０ｉ信号を説明する図。
【符号の説明】
１００、２００  画像表示装置、１０１、２０１  画像欠落領域検出部、１０２ラインメモリ、１０３  ＲＡＭ、１０４  ＣＰＵ、１０５  スケーリング処理部、１０６  画像表示部、２０２  フレームメモリ、２０３  検出期間可変部、３０１  リアプロジェクタ、３０２  投写光生成部、３０３  投写光学系、３０４  反射ミラー、３０５  スクリーン部、ＡＸ  光軸
【図１】
2004200913.tif 000003
【図２】
2004200913.tif 000004
【図３】
2004200913.tif 000005
【図４】
2004200913.tif 000006
【図５】
2004200913.tif 000007
【図６】
2004200913.tif 000008
【図７】
2004200913.tif 000009